(57)【要約】  有機日光遮断剤と、多孔性粒子の水不溶性高分子粉末と、７未満のｐＨを有している水性系とを含む化粧組成物が提供される。多孔性粒子は、常態では有機日光遮断剤及び低ｐＨ系に付随する粘着性を除去し、優良な皮膚感触の組成物を与える。【特許請求の範囲】
【請求項１】
水に接触したときに気泡を生成し得る発泡性洗浄組成物と、
第一及び第二の水不溶性基板から形成されたポーチと、
から成り、少なくとも一方の基板が水透過性であり、第一基板と第二基板とが双方の間に洗浄組成物収容領域を形成しており、第二基板が、メルトブローシート、スパンボンドシート及び両種シートの組合せから成る群から選択される不織シートから成ることを特徴とする身体表面洗浄用加工品。
【請求項２】
洗浄組成物が粉末であることを特徴とする請求項１に記載の加工品。
【請求項３】
不織シートが、メルトブロー／スパンボンド、スパンボンド／メルトブロー／スパンボンド及びスパンボンド／メルトブロー／メルトブロー／スパンボンドから成る群から選択される層状構造を有していることを特徴とする請求項１または２に記載の加工品。
【請求項４】
第二基板が更に、不織シートに接着された高ロフトシートを含むことを特徴とする請求項１から３のいずれか一項に記載の加工品。
【請求項５】
第一基板がスパンレースまたはカーデッド／化学接着によって製造された不織材料から成ることを特徴とする請求項１から４のいずれか一項に記載の加工品。
【請求項６】
洗浄組成物が約０．５−約８０重量％の酸と約１−約８０重量％のアルカリ性材料とを含むことを特徴とする請求項１から５のいずれか一項に記載の加工品。
【請求項７】
組成物が更に、約０．１−約３０重量％の界面活性剤を含むことを特徴とする請求項６に記載の加工品。
【請求項８】
組成物が更に、約０．００１−約４０重量％の皮膚有益物質を含むことを特徴とする請求項７に記載の加工品。
【請求項９】
（ｉ）水に接触したときに気泡を生成し得る発泡性洗浄組成物と、
第一及び第二の水不溶性基板から形成されたポーチと、
から成り、少なくとも一方の基板が水透過性であり、第一基板と第二基板とが双方の間に洗浄組成物収容領域を形成しており、第二基板が、メルトブローシート、スパンボンドシート及び両種シートの組合せから成る群から選択される不織シートから成ることを特徴とする加工品を製造する段階と、
（ｉｉ）泡立ちの盛んな洗浄用気泡を生じさせるために前記加工品を湿らせる段階と、
（ｉｉｉ）湿らせて泡立ちの盛んな洗浄用気泡を生じた加工品を使用者の身体表面の部分に塗布し、これによって該表面を洗浄する段階と、
から成る身体表面の洗浄方法。
【請求項１０】
水に接触したときに気泡を生成し得る粉末状の発泡性洗浄組成物と、
第一及び第二の水不溶性基板から形成されたポーチと、
から成り、
前記組成物が無水物であり、
（ｉ）約１−約８０重量％のアルカリ性材料と、
（ｉｉ）約０．５−約８０重量％の酸性材料と、
（ｉｉｉ）約０．５−約３０重量％の界面活性剤と
を含んでおり、
前記ポーチの少なくとも一方の基板が水透過性であり、第一基板と第二基板とが双方の間に洗浄組成物収容領域を形成しており、第二基板が、メルトブローシート、スパンボンドシート及び両種シートの組合せから成る群から選択される不織シートから成ることを特徴とする身体表面洗浄用加工品。
【請求項１１】
水に接触したときに気泡を生成し得る発泡性洗浄組成物と、
第一及び第二の水不溶性基板から形成されたポーチと、
から成り、少なくとも一方の基板が水透過性であり、第一基板と第二基板とが双方の間に洗浄組成物収容領域を形成しており、第二基板が、メルトブローシート、スパンボンドシート及び両種シートの組合せ基板から選択される不織シートから成り、第一基板がスパンレースシートから成ることを特徴とする身体表面洗浄用加工品。
【発明の詳細な説明】
【技術分野】
【０００１】
本発明は、水不溶性サッシェを基材とし、水の作用によって泡立ちの盛んな気泡を生成し得る粉末が該サッシェの内部に収容された洗浄用加工品に関する。
【０００２】
洗浄用製品は伝統的に、固形セッケン、シャワージェル及びムースの形態で商品化されており、泡の生成は機械的及びエアロゾルディスペンサーによって惹起される。消費者は、泡を形成するため及び摩擦によって汚れを物理的に除去するための助けとして機械的な道具を使用していた。洗浄用タオルは最近まで有史以来の最良の道具であると考えられていた。
【０００３】
新しい形態の洗浄用品が消費者の強い関心を集めている。例えば、米国特許第６，２８０，７５７  Ｂ１号（ＭｃＡｔｅｅら）に開示された製品は、開孔のある拭取り材に界面活性組成物及びコンディショナー組成物を層状に付着させたものである。米国特許第６，０６６，６０７号（Ｇｏｒｄｏｎら）に記載されたような目の荒いスポンジはシャワージェルから気泡が生成することを促進し、これによって泡立ち速度及び泡の品質を改善する。
【０００４】
米国特許第５，９８０，９３１号（Ｆｏｗｌｅｒら）は、界面活性剤系を水不溶性不織基板または同様の基板に付けて乾燥させた実質的に乾性の使い捨て型身体手入れ用加工品を記載している。第二世代の二重タオルも報告されている。国際特許ＷＯ００／４２９６１（Ｓｍｉｔｈ）、ＷＯ０１／０８５４２（Ｃｅｎら）、ＷＯ０１／０８６４０（Ｓｍｉｔｈら）、ＷＯ９１／０８６４１（Ｌｏｒｅｎｚｉら）、ＷＯ０１／０８６５５（Ｐｈｉｐｐｓら）、ＷＯ０１／０８６５６（Ｌｏｒｅｎｚｉら）、ＷＯ０１／０８６５７（Ｌｏｒｅｎｚｉら）及びＷＯ０１／０８６５８（Ｃａｗｋｗｅｌｌら）。これらの特許はいずれも、一方の層が高ロフト基板から成る少なくとも２つの層から成る布に発泡性界面活性剤を付着させた使い捨て型の身体洗浄タオルを記載している。消費者がタオルを水で濡らすと界面活性剤から泡が生じる。
【０００５】
米国特許第６，０６３，３９０号（Ｆａｒｒｅｌｌら）には別の提案が記載されている。該特許は、サッシェのポーチに収容された好ましくは粉末状の発泡性クレンザー組成物を含む拭取り用加工品を開示している。組成物は水に接触したときに発泡する。従来技術に記載された“ピロー”システムには幾つかの問題がある。
【０００６】
これらの問題のうちには、粉末状組成物をポーチ内に維持する（滲出防止）という問題がある。ポーチの壁が高ロフト基板から製造されている場合には粉末の漏失が特に問題となる。別の課題は、ポーチを一定の膨らんだ形状に維持するためにガス発生のコントロールが必要なことである。また、異なる構造及び異なる種類の材料から形成された基板を合せて熱シールするのが難しいことも知見された。
【０００７】
従って、本発明の１つの利点は、粉末状の発泡性組成物を収容しているサッシェを提供し、このサッシェのポーチ内の粉末状粒子の保持効率が改善されていることである。
【０００８】
本発明の別の利点は、発泡性組成物を収容しているサッシェを提供し、サッシェの壁が泡による膨張をコントロールできることである。
【０００９】
本発明の第一の特徴によれば、
水に接触したときに気泡を生成し得る発泡性洗浄組成物と、
第一及び第二の水不溶性基板から形成されたポーチとから成り、少なくとも一方の基板が水透過性であり、水不溶性の第一基板と第二基板とが双方の間に洗浄組成物収容領域を形成しており、第二基板が、メルトブローシート、スパンボンドシート及び両種シートの組合せから成る群から選択される不織シートから成ることを特徴とする身体表面洗浄用加工品が提供される。
【００１０】
別の実施態様においては、高ロフトの水不溶性シートが第二基板の少なくとも一部を形成し、高ロフト表面は第二基板の外側に位置している。更に、また別の実施態様においては、第一基板が第二基板の構造とは異なる構造を有し得る。より特定的には、第一基板はスパンレース（水力交絡（ｈｙｄｒｏｅｎｔａｎｇｌｅｄ））不織布またカーデッド／化学接着不織布でよい。
【００１１】
メルトブロー法、スパンボンド法及び／または両方法の併用によって形成された第二基板の利点は、ポーチ製造工程中に組成物の汚染性発泡粒子が機械類に偶発的に侵入したときに、第二基板の材料のシール性が全く低下しないことである。更に、メルトブロー不織布及びスパンボンド不織布が第一基板と第二基板の一部を形成する高ロフトシートとの間に挟まれたサンドイッチ構造はシール性をいっそう改善する。高ロフトシートは、第二基板の通気性を向上させ泡立ち性を改善する。高ロフト側壁をもつのが好まれるポーチでは、粉末が高ロフトシートから自由に振り出されてポーチから排出され易くなることを防止するという追加目的のメルトブロー基板及び／またはスパンボンド基板を配備することが必要である。
【００１２】
本発明のその他の特徴及び利点は以下の図面に関する考察からいっそう容易に明らかになるであろう。
【００１３】
水賦活性の発泡性粉末を基材とする気泡生成ポーチは、少なくとも１つの壁がメルトブローシート、スパンボンドシート及び／または両種シートの層状組合せ基板から成るときに最良の構造であることがここに知見された。
【００１４】
図１は、本発明のポーチ２を示す。ポーチは、第一のスパンレース基板４と第二のメルトブロー複合基板６とによって形成された壁を有しており、基板６は高ロフトシート８に接着されている。第一基板４と第二基板６との間に形成された空間１０に、粉末状発泡性組成物が閉じ込められている。シート４とシート６は周縁軌道１４に沿って互いに超音波シールされ、粉末状組成物の漏失防止が確保されている。
【００１５】
身体洗浄用固形製品を泡立たせるときとほぼ同様にしてポーチ２を水で湿らしたとき、豊富な量の気泡が生成する。物理的には、ポーチはヒトの手の中に収まり易い寸法の楕円形の形状に製造され、従って、身体洗浄用固形製品と同様にして使用できる。断面直径は約２−約１５ｃｍの範囲、好ましくは約５−約１０ｃｍの範囲でよい。
【００１６】
シート６は、単一のメルトブロー層でもよいが好ましくは複数層の組合せである。１つの実施態様はスパンボンド／メルトブロー／スパンボンド（ＳＭＳ）の三層を使用しており、別の実施態様はスパンボンド／メルトブロー／メルトブロー／スパンボンド（ＳＭＭＳ）構造として表される四層を使用している。これらの系において、メルトブロー繊維は極めて緻密であり粉末の漏失を防ぐ障壁として作用する。スパンボンド層は強度及び柔軟度を与える。
【００１７】
メルトブローウェブは、約５０℃よりも高い融点を有している熱可塑性ポリマーから製造されたいかなるメルトブローウェブでもよい。好ましいポリマーはポリプロピレンであり、これはメルトブローウェブを製造するために最も使用されることの多いポリマーである。別の適当なポリマーとしては、ポリ（ブチレンテレフタレート）、ポリカプロラクタム、ポリ（エチレンテレフタレート）及びポリエチレンがある。
【００１８】
メルトブローウェブの製造方法は当業界で公知であり、市販の様々の不織製品を製造するために広く使用されている。メルトブロー法の代表例は、１９７６年８月３１日付けのＢｕｎｔｉｎらの米国特許第３，９７８，１８５号、１９８１年１１月３日付けのＭｅｉｔｎｅｒの米国特許第４，２９８，６４９号、及び、１９７８年７月１１日付けのＡｎｄｅｒｓｏｎらの米国特許第４，１００  ３２４号に記載されている。これらの特許はすべて参照によって本発明に含まれるものとする。しかしながら、その他のメルトブロー法でも本発明の目的に適うウェブを製造できることは理解されよう。製品に強度またはその他の特性を与えるために、メルトブローウェブをスパンボンドウェブのような別の支持ウェブに組合せてもよくまたは貼合せてもよい。
【００１９】
本発明において基材となるメルトブローウェブの単一シートの坪量は約２０−約３００ｇ／ｍ２の範囲でよい。好ましくは坪量が約８０−約２５０ｇ／ｍ２、最も好ましくは約１００−約２００ｇ／ｍ２の範囲である。
【００２０】
スパンボンド法では、熱可塑性ポリマーの多数の連続ストランドを多数のダイオリフィスから移動表面上に下向きに押し出し、押し出されたストランドを移動表面上にランダム分布的に集める。ランダムに堆積したストランドを次に加熱ニップにおいて互いに接着して十分な一体性を与えると、連続繊維の不織ウェブが得られる。スパンボンドウェブの特徴は、強度／重量の比が高いこと、等方性強度、高多孔度及び優れた耐研磨性を有していることである。
【００２１】
メルトブロー法は、押し出されたポリマーストランドが収集用表面に堆積する前に強制気流によって解体されて個々の繊維に分散するという点でスパンボンド法と違っている。更に、繊維が空気によって実質的に冷却され、その結果として有意に結晶化したり及び／または互いに接着したりしない。一体性及び強度を維持するためのウェブの接着は下流で独立処理として行われる。
【００２２】
第二基板の最も好ましい材料は、Ｐｏｌｙｐｒｏｐ  Ｃｏｒｐｏｒａｔｉｏｎから入手できるメルトブロー／スパンボンド不織基板である。
【００２３】
第一基板は好ましくは、スパンレースまたはカーデッド／化学接着によって製造された水不溶性の不織材料である。
【００２４】
特に好ましい材料は、ＰＧＩ  Ｃｏｒｐｏｒａｔｉｏｎから入手できるＮＣ００８クロス（Ｉｍａｇｅ  Ｓｐｕｎ  Ｌａｃｅ）である。
【００２５】
高ロフトシートが存在する場合、このシートは一般に流体透過性である。本文中で使用された“高ロフト”という用語は、シートが約０．００００５ｇ／ｃｍ３−約０．１ｇ／ｃｍ３、好ましくは約０．００１ｇ／ｃｍ３−約０．０９ｇ／ｃｍ３の密度を有しており、約０．１ｃｍ−約５ｃｍの厚みを有していることを意味する。
【００２６】
本文中で使用された“不織”という用語は、層が布に織られた繊維から構成されていないことを意味する。層が繊維を全く含まなくてもよい、例えば、フィルム、スポンジ、フォーム、スクリムなどから形成されてもよい。層が繊維を含むとき、繊維はランダム繊維（即ち、ランダム配列された繊維）でもよく、カーデッド繊維（即ち、主として一方向に配向するように梳られた繊維）でもよい。
【００２７】
本発明の目的に最も好ましい高ロフト材料は、Ｕｎｉｏｎ  Ｗａｄｄｉｎｇ  Ｃｏｒｐｏｒａｔｉｏｎから販売されているニードルパンチ複合材料である。
【００２８】
ポーチ内部の組成物１２の第一成分は酸性材料成分である。いかなる酸もこの目的に適しており、乾燥固体形態で存在する酸が好ましい。Ｃ２−Ｃ２０の有機モノ−及びポリカルボン酸、特にアルファ−及びベータ−ヒドロキシカルボン酸；フィチン酸のようなＣ２−Ｃ２０の含リン有機酸；トルエンスルホン酸のようなＣ２−Ｃ２０の含イオウ有機酸；過酸化水素のような過酸化物が特に好適である。典型的なヒドロキシカルボン酸は、アジピン酸、グルタル酸、コハク酸、酒石酸、リンゴ酸、マレイン酸、乳酸、サリチル酸及びクエン酸、並びに、酸形成ラクトン例えばグルコノラクトン及びグルカロラクトンである。クエン酸が最も好ましい。封入された酸も酸材料として適当であろう。典型的な封入材料は、合成または天然の水溶性ポリマー、例えば、ポリアクリレート（例えば、封入ポリアクリル酸）、セルロース系ガム、ポリウレタン及びポリオキシアルキレンポリマーである。“酸”という用語は、１％の濃度で脱イオン水に溶解したときに７未満のｐＨ、好ましくは６．５未満、最適には５未満のｐＨを有する任意の物質を意味する。これらの酸は好ましくは２５℃で固体形態である、即ち、２５℃以上の融点を有している。酸の濃度は、全組成物の重量の約０．５−約８０重量％、好ましくは約１０−約６５重量％、最適には約２０−約４５重量％の範囲でなければならない。
【００２９】
ポーチ内部の組成物の第二成分はアルカリ性材料成分である。アルカリ性材料は、水及び酸性材料に接触したときに二酸化炭素、窒素または酸素のようなガスを発生できる物質、即ち、発泡する物質である。適当なアルカリ性材料は、炭酸塩、炭酸水素塩、アルカリ金属過酸化物（例えば、過ホウ酸ナトリウム及び過炭酸ナトリウム）及びアジド（例えばナトリウムアジド）の無水塩である。好ましいアルカリ性材料は炭酸水素ナトリウムまたは炭酸水素カリウムである。アルカリ性材料の量は、全組成物の重量の約１−約８０重量％、好ましくは約５−約４９重量％、より好ましくは約１５−約４０重量％、最適には約２０−約３５重量％の範囲でよい。
【００３０】
“無水”という用語は、全組成物の重量の約１５重量％以下、好ましくは約５重量％以下、最適には１重量％以下の水の存在を意味する。無水の定義は、水和水を考察しないで行う。しかしながら、水和水が最小量であること、好ましくは全く存在しないことが好ましい。
【００３１】
酸性材料とアルカリ性材料との合計量は全組成物の重量の少なくとも約１．５重量％、好ましくは約４０−約９５重量％、最適には約６０−約８０重量％の範囲が有利であろう。
【００３２】
本発明組成物の最適な別の成分は界面活性剤成分、好ましくは２０℃で乾燥固体の形態の界面活性剤である。本発明にはココイルイセチオン酸ナトリウムが最も適当である。別の有用な界面活性剤は、メチルココイルタウリン酸ナトリウム、ラウロイルサルコシン酸ナトリウム及びラウリル硫酸ナトリウムである。界面活性剤はアニオン性、カチオン性、非イオン性、両性、双イオン性のいずれでもよく、また、これらの組合せでもよい。界面活性剤の量は、全組成物の重量の約０．１−約３０重量％、好ましくは約１−約３０重量％、最適には約８−約２０重量％の範囲でよい。
【００３３】
使用後の感触性を改善するために種々の皮膚有益物質を含有させ得る。これらの物質は無水乾燥粉末として入手できるのが有利であろう。あるいはこれらの物質は粉末状基板（例えばケイ酸カルシウムまたはゼオライト）の上または内部に付着して流動性乾燥粉末を生じさせる液体であってもよい。幾つかの部類の材料が皮膚有益物質の範囲に包含される。これらの材料としては、皮膚緩和剤、老化防止有効成分、抗菌剤及び抗真菌剤、皮膚明色化剤、日光遮断剤及びそれらの組合せがある。皮膚有益物質の量は、全組成物の重量の約０．００１−約４０重量％、好ましくは約０．１−約２０重量％、より好ましくは約０．５−約１０重量％、最適には約１−約５重量％の範囲でよい。
【００３４】
皮膚緩和剤は、天然または合成のエステル、シリコーン油、炭化水素、デンプン、脂肪酸及びそれらの混合物の形態でよい。典型的には皮膚緩和剤は、全組成物の重量の約０．１−約３５重量％の濃度範囲でよい。
【００３５】
シリコーン油は揮発性品種と不揮発性品種とに分類できる。本文中で使用された“揮発性”という用語は、周囲温度で測定可能な蒸気圧を有している材料を意味する。揮発性シリコーン油は好ましくは、３−９個、好ましくは４個または５個のケイ素原子を有している環状または線状のポリジメチルシロキサンから選択される。
【００３６】
線状の揮発性シリコーン材料は一般に２５℃で約５センチストークス未満の粘度を有しており、環状材料は典型的には約１０センチストークス未満の粘度を有している。
【００３７】
皮膚緩和剤材料として有用な不揮発性シリコーン油としては、ポリアルキルシロキサン、ポリアルキルアリールシロキサン及びポリエーテルシロキサンコポリマーがある。本発明に有用な本質的に不揮発性のポリアルキルシロキサンは例えば、２５℃で約５−約１００，０００センチストークスの粘度を有しているポリジメチルシロキサンである。本発明の組成物に有用な好ましい不揮発性皮膚緩和剤は、２５℃で約１０−約４００センチストークスの粘度を有しているポリジメチルシロキサンである。
【００３８】
エステル皮膚緩和剤としては：
（１）１０−２２個の炭素原子を有している脂肪酸のアルケニルまたはアルキルエステル。その例は、イソアラキジニルネオペンタノエート、イソノニルイソナノノエート、オレイルミリステート、オレイルステアレート及びオレイルオレエート；
（２）エトキシル化脂肪アルコールの脂肪酸エステルのようなエーテル−エステル；
（３）多価アルコールエステル。エチレングリコールモノ及びジ−脂肪酸エステル、ジエチレングリコールモノ−及びジ−脂肪酸エステル、ポリエチレングリコール（２００−８０００）モノ−及びジ−脂肪酸エステル、ポリプロピレングリコール２０００モノオレエート、ポリプロピレングリコール２０００モノステアレート、エトキシル化プロピレングリコールモノステアレート、グリセリルモノ−及びジ−脂肪酸エステル、ポリグリセロールポリ−脂肪エステル、エトキシル化グリセリルモノステアレート、１，３−ブチレングリコールモノステアレート、１，３−ブチレングリコールジステアレート、ポリオキシエチレンポリオール脂肪酸エステル、ソルビタン脂肪酸エステル及びポリオキシエチレンソルビタン脂肪酸エステルが適当な多価アルコールエステルである；
（４）蜜蝋、鯨蝋、ミリスチルミリステート、ステアリルステアレート及びアラキジルベヘネートのようなワックスエステル；
（５）コレステロール脂肪酸エステルを代表例とするステロールエステル；
（６）ヒマワリ種油、マレイン化ヒマワリ種油、ポリコットンシーデート（ｐｏｌｙｃｏｔｔｏｎｓｅｅｄａｔｅ）、ルリヂサ種油及びベニバナ油のようなトリグリセリド；
がある。
【００３９】
皮膚緩和剤として適当な炭化水素は、ペトロラタム、鉱油、イソパラフィン、及びポリエチレンのような炭化水素ワックスである。
【００４０】
デンプンもまた適当な皮膚緩和剤である。このクラスの典型はタピオカ及びアラビノガラクタンである。
【００４１】
脂肪酸もまた皮膚緩和剤として適当である。脂肪酸は通常は１０−３０個の炭素原子を有している。この部類の代表は、ペラルゴン酸、ラウリン酸、ミリスチン酸、パルミチン酸、ステアリン酸、イソステアリン酸、ヒドロキシステアリン酸、オレイン酸、リノール酸、リシノール酸、アラキジン酸、ベヘン酸及びエルカ酸である。
【００４２】
老化防止有効成分もまた皮膚有益物質として役立つ。この部類には、ビタミン、レチノイド及びそれらの組合せが包含される。これらの材料の量は全組成物の重量の約０．００１重量％−約２０重量％の範囲でよい。適当なビタミンは、アスコルビン酸、ビタミンＢ６、ビタミンＢ１２、トコフェロール、並びに、それらの塩及びＣ１−Ｃ２０エステルである。適当なレチノイドは、レチノイン酸、それらのＣ１−Ｃ２２エステル及び塩、並びに、レチノール及びレチノールのＣ１−Ｃ２２脂肪エステル例えばレチニルリノレエートである。
【００４３】
別のクラスの老化防止有効成分はアルファ−及びベータ−ヒドロキシカルボン酸とそれらの塩である。このグループの代表は、グリコール酸、乳酸、リンゴ酸、ヒドロキシオクタン酸、サリチル酸及びそれらの混合物並びにそれらの塩である。適当な塩はアルカリ金属塩、アンモニウム塩及びＣ１−Ｃ１０アルカノールアンモニウム塩である。
【００４４】
抗菌剤及び抗真菌剤も皮膚有益物質として含有させ得る。これらの部類の代表はトリクロサン、トリクロバン、ヘキセチデン、クロロヘキサデン、グルコネート、亜鉛塩（例えば、クエン酸亜鉛及びフェノールスルホン酸亜鉛）及びそれらの組合せである。
【００４５】
皮膚明色化剤もまた皮膚有益物質として含有させ得る。この部類の典型はナイアシンアミド、コージ酸、アルブチン、バニリン、フェルラ酸及びそのエステル、レゾルシノール、ヒドロキノン、胎盤エキス及びそれらの組合せである。
【００４６】
日光遮断剤もまた皮膚有益物質として含有させ得る。特に好ましい材料は、Ｐａｒｓｏｌ（登録商標）ＭＣＸとして入手可能なエチルヘキシルｐ−メトキシシンナメート、Ｐａｒｓｏｌ（登録商標）１７８９として入手可能なアボベンゼン、及び、オキシベンゾンとしても知られたベンゾフェノン−３である。微粉状二酸化チタン、ポリエチレン及びその他の種々のポリマーのような無機の日光遮断有効成分を使用してもよい。日光遮断剤の量は一般には０．１−３０重量％、好ましくは２−２０重量％、最適には４−１０重量％の範囲でよい。
【００４７】
また、補助機能成分を本発明の組成物に内添してもよい。これらの成分としては、電解質、増粘剤及びそれらの混合物がある。これらの物質の量は全組成物の重量の約０．１−約２０重量％、好ましくは約０．３−約１０重量％、最適には約０．５−約５重量％の範囲でよい。
【００４８】
電解質は、アルカリ金属、アルカリ土類金属またはアンモニウムのリン酸塩、ケイ酸塩、ハロゲン化物、硫酸塩及びそれらの混合物から選択され得る。典型的なリン酸塩は、ポリメタリン酸カリウム、トリポリリン酸ナトリウム、テトラピロリン酸ナトリウム、ピロリン酸ナトリウムまたピロリン酸カリウム、及び、ヘキサメタリン酸ナトリウムである。Ｌｉｐｏｔｈｉｘ  １００Ｂ（登録商標）として入手可能なポリメタリン酸カリウムが最も好ましい。これは、ポリメタリン酸カリウムと炭酸水素ナトリウムとの７０：３０混合物であり、Ｌｉｐｏ  Ｃｈｅｍｉｃａｌｓ，Ｉｎｃ．，Ｐａｔｅｒｓｏｎ，Ｎｅｗ  Ｊｅｒｓｅｙから入手できる。好ましい硫酸塩は硫酸マグネシウムである。
【００４９】
使用後の皮膚感触性を改善し得る増粘剤は無機物または有機物である。特に好ましい無機増粘剤はＯｐｔｉｇｅｌ  ＳＨ（登録商標）として市販されているナトリウムマグネシウムシリケートである。有機増粘剤は、アルギン酸、アルギン酸ナトリウム、アルギン酸カルシウム、カルボキシメチルセルロースナトリウム、ヒドロキシプロピルメチルセルロース、ヒドロキシプロピルセルロース、ヒドロキシエチルセルロース及びそれらの組合せである。Ｓｕｄ−Ｃｈｅｍｉｅ  Ｒｈｅｏｌｏｇｉｃａｌｓ，Ｌｏｕｉｓｖｉｌｌｅ，ＫｅｎｔｕｃｋｙからＫｅｌａｃｉｄ（登録商標）として市販されているアルギン酸が最も好ましい。アルギン酸は、皮膚から完全にすすぎ落とせないアルカリ性材料の付着に伴うぬるぬるした感触を除去するために極めて有効である。増粘剤の量は約０．１−約２０％の範囲でよい。
【００５０】
本発明に有用な多糖は、ソルビトール、糖（例えばトレハロース）、デンプン、改質デンプン（例えばオクテニルコハク酸アルミニウム）及びそれらの混合物のような乾燥固体無水物である。ソルビトールが最も好ましい。
【００５１】
また付着補助剤を本発明の組成物に内添してもよい。これらは皮膚有益物質が皮膚表面に付着することを補助する。この目的にはカチオン性のモノマー及びポリマーが特に有効である。代表例を以下に挙げる：ラウリルトリメチルアンモニウムクロリド；ステアリルトリ（２−ヒドロキシエチル）アンモニウムクロリド；ラウリルジメチルベンジルアンモニウムクロリド；セチルジメチルベンジルアンモニウムクロリド；セチルピリジニウムクロリド；ポリジアリルジメチルアンモニウムクロリド；アクリルアミドと共重合したジアリルジメチルアンモニウム塩；グアーヒドロキシプロピルトリモニウムクロリド；カチオン性ヒドロキシエチルセルロース系誘導体；セチルトリメチルアンモニウムクロリド；デシルジメチルオクチルアンモニウムクロリド；及びミリスチルトリメチルアンモニウムクロリド。
【００５２】
グアーヒドロキシプロピルトリモニウムクロリドであるＪａｇｕａｒ  Ｃ１３Ｓ（登録商標）、及び、Ｍｅｒｑｕａｔ  ２２００として市販されているポリクオタニウム７のようなカチオン性グアーガムが本発明の目的に最も好ましい。付着補助剤の量は、約０．０１−約１重量％、好ましくは約０．０５−約０．５重量％、最適には約０．１−約０．３重量％の範囲でよい。
【００５３】
着香料及び／または植物エキスのような情動性成分を発泡性洗浄組成物に含有させるのが有利である。着香料及び植物エキスはしばしば液体である。従って、液体成分を固体粉末中に均一に分散させ吸収させることが必要であろう。このための最適な方法は、これらの液体を固体に噴霧することである。着香料及び／または植物エキスの合計量は全組成物の重量の約０．１−約３重量％、好ましくは０．５−２重量％、最適には０．８−１．５重量％のレベルでよい。
【００５４】
“着香料”という用語は、適当な溶媒、希釈剤または担体に適宜混合されて所望の香気を与えるために使用される芳香性成分の混合物であると定義される。特に好ましい芳香性成分は環状及び非環状のテルペン及びテルペノイドである。これらの材料はイソプレン反復単位を基底成分とする。その例は、アルファ及びベータピネン、ミルセン、ゲラニルアルコール及びアセテート、カンフェン、ｄｌ−リモネン、アルファ及びベータフェランドレン、トリシクレン、テルピノレン、アロシマン、ゲラニオール、ネロール、リナノール、ジヒドロリナノール、シトラール、イオネン、メチルイオネン、シトロネロール、シトロネラール、アルファテルピネオール、ベータテルピネオール、アルファフェンコール、ボルネオール、イソボルネオール、カンファー、テルピネン−１−オール、テルピン−４−オール、ジヒドロテルピネオール、メチルシャビコール、アネソール、１，４及び１，８シネオール、ゲラニルニトリル、イソボルニルアセテート、リナリルアセテート、カリオフィレン、アルファセドレン、グアイオール、パチョリアルコール、アルファ及びベータサンタロール及びそれらの混合物である。本発明に特に役立つ草種は、ノコギリソウ（ｙａｒｒｏｗ）、カミツレ（ｃｈａｍｏｍｉｌｅ）、ジャスミン、ラベンダー、セイヨウトチノキ（ｈｏｒｓｅ  ｃｈｅｓｔｎｕｔ）、セージ、タイム、ユッカ、フキタンポポ（ｃｏｌｔｓｆｏｏｔ）及びそれらの混合物である。
【００５５】
潜在的に有害な微生物の増殖を防ぐために本発明の化粧組成物に保存剤を内添するのが望ましい。本発明の組成物に適した伝統的な保存剤はパラ−ヒドロキシ安息香酸のアルキルエステルである。もっと最近になって使用されるようになった別の保存剤は、ヒダントイン誘導体、プロピオン酸塩、及び、種々の第四アンモニウム化合物である。化粧品化学者は適切な保存剤に精通しており、保存剤チャレンジテストに合格し製品安定性を与えるような保存剤を造作なく選択し得る。特に好ましい保存剤はフェノキシエタノール、メチルパラベン、プロピルパラベン、イミダゾリジニルウレア、デヒドロ酢酸ナトリウム及びベンジルアルコールである。保存剤は好ましくは組成物の重量の０．０１−２重量％の範囲の量で使用される。
【００５６】
本発明の組成物に色素を含有させてもよい。これらの物質は、約０．０５−約５重量％、好ましくは０．１−３重量％の範囲でよい。
【００５７】
消費者が加工品を擦り付けるときに基板シートが容易に破れないことが重要である。洗濯用のサッシェ加工品と違って、本発明のポーチは、破れて顆粒状の中味を洗浄水中に分散させることがあってはならない。本発明では逆に、組成物の全成分が溶解してポーチの透過性壁から滲出するようになっている。
【００５８】
本発明の加工品を使用し得る皮膚表面は、顔、胴、頭皮、腋の下であり、また、脚／足にも適している。加工品が足の洗浄剤であるときはポーチの片面を目の荒い面にし、基板の第二面を皮膚に穏やかに作用する柔らかい面にするのが有利であろう。
【００５９】
本発明の加工品は以下の手順で形成し得る。発泡性洗浄組成物の構成成分をドライミルまたは同様の装置に入れ、均一分散粉末が得られるまでブレンドする。その後、粉末状組成物を同時に撹拌しながら着香料／植物成分を相Ｂとしてドライミルに噴霧する。
【００６０】
第一及び第二の基板シートのロールは充填位置の異なる側から繰り出される。発泡性洗浄組成物は基板シートの中間で充填位置の上方に配置されたホッパに収容されている。不連続な充填量の粉末状組成物をシート間に放出し、部分形成されたピローに捕獲する。この時点で、ポーチを形成する全部の縁端を位置合わせしてシールし、発泡性洗浄組成物を内部に閉じ込める。次いで１つのシール区分を別のシール区分からカッターで切り離し、加工品を形成する。次に、保管中に発泡系が活性化することを防ぐために１つまたは複数の加工品をラミネートホイルのバッグのような不透湿性の外側パッケージ内部に包装し得る。
【００６１】
熱シールの代わりに超音波溶接を使用して第一及び第二の基板を貼り合せてもよい。糸による縫合、接着剤塗布またはその他の密閉機構も使用し得る。
【００６２】
処理実施例及び比較実施例を除いて、または、別の明白な指示がある場合を除いて、本明細書中で材料の量を示す全ての数値は“約”という用語で修飾されていると理解されたい。
【００６３】
“から成る”という用語は、その後に記述された要素に限定されることなく、主要なまたは副次的な機能的重要性をもつ不特定要素を包含する。言い換えると、記載された段階、要素または選択要素は網羅的でない。
【００６４】
以下の実施例は本発明の実施態様をより十分に説明する。本文中及び特許請求の範囲に記載された全ての部、パーセンテージ及び割合は異なる指示がない限り重量基準の値である。
【実施例１】
【００６５】
表１に示した配合に従って発泡性洗浄組成物を調製した。相Ａを高速剪断ミキサー中でドライブレンドした。得られた粉末に次に相Ｂとして着香料を噴霧した。得られた粉末の３ｇを５ｃｍ×８ｃｍのポーチのポケットに入れる。不織スパンレースウェブの周縁を不織ＳＭＭＳウェブに熱シールすることによってポーチの壁を形成する。
【００６６】
【表１】
2005514970.tif 000002
【実施例２】
【００６７】
表ＩＩに示した配合に従って別の発泡性洗浄組成物を調製した。次に実施例１の記載と同様にして組成物をポーチ内に密封する。
【００６８】
【表２】
2005514970.tif 000003
【実施例３】
【００６９】
表ＩＩＩに示した配合に従って発泡性洗顔組成物を調製した。次に実施例１の記載と同様にして組成物をポーチ内に密封する。
【００７０】
【表３】
2005514970.tif 000004
【実施例４】
【００７１】
表ＩＶに示した配合に従って本発明の更に別の発泡性洗浄組成物を調製し得る。サンプルあたり３．５ｇの重量レベルのドライミックス成分を、それぞれ長さ９ｃｍ及び５．５ｃｍの長軸及び短軸を有している楕円形ポーチに入れる。粉末状サンプルをスパンレース基板の層と高ロフトシートをシールしたＳＭＳ層との間に入れる。粉末が漏れることを確実に防ぐためにポーチの全部の側縁を超音波加熱によって溶接する。
【００７２】
【表４】
2005514970.tif 000005
【図面の簡単な説明】
【００７３】
【図１】本発明のポーチの斜視図である。
【図２】図１の２−２線に沿った断面図である。
【図１】
2005514970.tif 000006
【図２】
2005514970.tif 000007
【国際調査報告】
2005514970.tif 000008
2005514970.tif 000009
2005514970.tif 000010